(57)【特許請求の範囲】
【請求項１】
装着された工具を駆動してワークの加工を行う工作機械において、
電気機器が収容された箱体の内部を冷却するファンと、
間欠的に動作する一又は複数の電気的負荷と、
該電気的負荷を動作させる場合に、前記ファンの動作を停止する制御手段と
を備え、
前記制御手段は、前記ファンの動作を停止した後に前記電気的負荷の動作を開始し、前記電気的負荷の動作を停止した後に前記ファンの動作を開始するようにしてあり、
前記電気的負荷は、加工に係る機構への給油又は給脂を行うポンプであること
を特徴とする工作機械。
【請求項２】
前記電気的負荷は、前記ポンプ、及び、加工に係る機構を覆うカバーに設けられた扉を開閉するモータであること
を特徴とする請求項１に記載の工作機械。
【請求項３】
前記電気的負荷は、前記ポンプ、及び、その回転軸に交差して設けられた接触部材を工具へ向けて回転するモータであり、
前記接触部材の前記工具に対する接触の有無に応じて、該工具の折損を検出するようにしてあること
を特徴とする請求項１に記載の工作機械。
【請求項４】
交流電力を直流電力に変換する単一の変換器を備え、
前記ファン及び前記電気的負荷は、前記変換器が変換した直流電力により動作するようにしてあること
を特徴とする請求項１乃至請求項３のいずれか１つに記載の工作機械。
【発明の詳細な説明】
【技術分野】
【０００１】
本発明は、加工軸に装着された工具を回転駆動してワークに対する種々の加工を行う工作機械に関する。
【背景技術】
【０００２】
一般にマシニングセンタ（工作機械）は、フライス加工、中ぐり加工又はねじ立てなど種々の加工を行う。マシニングセンタは、複数種の工具を収容しておくための収容部と、加工軸に装着された工具を収容部に収容された工具に交換するための機構とを備えており、目的の加工に応じて工具を交換しながら、種々の加工を連続的に行っている。
【０００３】
マシニングセンタは、加工軸の回転駆動、加工軸又はワークのＸ軸方向、Ｙ軸方向又はＺ軸方向への移動、及び、加工軸に装着された工具の交換等の種々の動作を行っており、この動作を制御するための制御回路が搭載された回路基板などを備えている。このような回路基板などは、マシニングセンタの例えば背面側に設けられた筐体内に収容されており、回路の動作に伴う筐体内の温度上昇を抑制するために、マシニングセンタは冷却用のファンを備えている。
【０００４】
例えば特許文献１においては、主軸の制御状態を監視して、制御盤内部の温度上昇を伴う第１の制御状態となった場合に冷却ファンの動作を開始し、制御盤内部の温度上昇を伴わない第２の制御状態となった場合に冷却ファンの動作を停止することにより、温度が上昇した場所にかかわらず制御盤の冷却を開始することができる制御盤冷却システムが提案されている。
【０００５】
一方、マシニングセンタは、加工軸の回転駆動、加工軸又はワークの移動、及び、工具交換等を行うための種々の機械機構を備えている。これらの機械機構を円滑に動作させるためには、機械機構の例えばボールネジなどに対する定期的な給油又は給脂を行う必要がある。マシニングセンタには、機械機構に対する給油又は給脂を数時間に１回程度の頻度で自動的に行う機能を有するものがある。
【先行技術文献】
【特許文献】
【０００６】
【特許文献１】特開２００３−２４５８４２号公報
【発明の概要】
【発明が解決しようとする課題】
【０００７】
機械機構に対する給油又は給脂を自動的に行うためには、油又は脂を搬送するためのポンプを動作させる必要がある。マシニングセンタは、外部の商用交流電源などから電力が供給され、この電力によって内部のモータ及びファン等の多数の電気的負荷が動作している。上記のような給油又は給脂のためのポンプをマシニングセンタに搭載して動作させる場合、このポンプを動作させるための電力が必要となる。
【０００８】
マシニングセンタには、過電流保護のために電力供給経路中にヒューズ又はブレーカ等が設けられている。給油又は給脂のためのポンプを搭載するマシニングセンタは、これを搭載しないものと比較して、ヒューズ又はブレーカ等の容量（遮断電流量）が大きくなければならない。またマシニングセンタには、搭載される電気的負荷の種類によっては、電力供給経路中にＡＣ／ＤＣ変換器又は変圧器等が配される場合がある。マシニングセンタに給油又は給脂のためのポンプを搭載してＡＣ／ＤＣ変換器又は変圧器等に接続する場合、これを搭載しないものと比較して、ＡＣ／ＤＣ変換器又は変圧器等の容量（出力電力量）が大きくなければならない。よって、自動的な機械機構への給油又は給脂の機能の搭載は、マシニングセンタの過度のコスト増加を招来するという問題がある。
【０００９】
マシニングセンタを覆うカバーの扉を自動開閉する機能を搭載する場合、扉を開閉するためのモータなどに電力を供給して動作させる必要がある。また工具の折損検出を行う機能を搭載する場合、工具に対する接触／非接触を検知するための接触部材（タッチセンサ）を回転させるモータに電力を供給して動作させる必要がある。このように、マシニングセンタを高機能化するための種々の電気的負荷を搭載する場合にも、ヒューズ若しくはブレーカ等、又は、ＡＣ／ＤＣ変換器若しくは変圧器等の大容量化が必要であり、コスト増加を招来するという問題がある。
【００１０】
本発明は、斯かる事情に鑑みてなされたものであって、その目的とするところは、搭載される電気的負荷の増加に対するコストの増加を抑制することができる工作機械を提供することにある。
【課題を解決するための手段】
【００１１】
本発明に係る工作機械は、装着された工具を駆動してワークの加工を行う工作機械において、電気機器が収容された箱体の内部を冷却するファンと、間欠的に動作する一又は複数の電気的負荷と、該電気的負荷を動作させる場合に、前記ファンの動作を停止する制御手段とを備え、前記制御手段は、前記ファンの動作を停止した後に前記電気的負荷の動作を開始し、前記電気的負荷の動作を停止した後に前記ファンの動作を開始するようにしてあり、前記電気的負荷は、加工に係る機構への給油又は給脂を行うポンプであることを特徴とする。
【００１３】
また、本発明に係る工作機械は、前記電気的負荷が、前記ポンプ、及び、加工に係る機構を覆うカバーに設けられた扉を開閉するモータであることを特徴とする。
【００１４】
また、本発明に係る工作機械は、前記電気的負荷が、前記ポンプ、及び、その回転軸に交差して設けられた接触部材を工具へ向けて回転するモータであり、前記接触部材の前記工具に対する接触の有無に応じて、該工具の折損を検出するようにしてあることを特徴とする。
【００１５】
また、本発明に係る工作機械は、交流電力を直流電力に変換する単一の変換器を備え、前記ファン及び前記電気的負荷は、前記変換器が変換した直流電力により動作するようにしてあることを特徴とする。
【００１６】
本発明においては、間欠的に電気的負荷を動作させる場合には、工作機械の内部冷却用のファンを停止する（即ち、間欠的に動作する電気的負荷と冷却用のファンとを排他的に駆動する）。冷却用のファンは短時間であれば間欠的に停止させた場合であっても冷却効果の低下は僅かであるため、間欠的に電気的負荷を動作させる際にファンを停止する。電気的負荷とファンとが同時的に動作することがないため、工作機械としての消費電力量の増大は僅かである（電気的負荷の消費電力量がファンの消費電力量より少なければ、工作機械として消費電力量は増大しない）。よって、ヒューズ若しくはブレーカ等、又は、ＡＣ／ＤＣ変換器若しくは変圧器等の大容量化によるコストの増大を抑制することができる。
【００１７】
特に、電気的負荷として加工のための機構への給油又は給脂を行うポンプを工作機械に搭載する場合、給油又は給脂は数時間に１回程度の頻度で行えばよく、ポンプの動作時間も数秒〜数十秒程度でよい。よって、ポンプの動作中に冷却用のファンを停止した場合であっても、ファンによる冷却効果の低下は最低限にとどまる。
【００１８】
また工作機械には、作業者の安全確保のために、加工のための機構を覆うカバーが設けられる。このカバーには、ワークの交換又は工作機械のメンテナンス等を行うために扉が設けられるが、この扉をモータで駆動することにより自動扉とすることができる。この扉は、ワークに対する加工の開始前及び終了後等の限られたときに行われ、扉の開閉に伴うモータの動作時間も数秒〜数十秒程度でよい。よって、扉の開閉中に冷却用のファンを停止した場合であっても、ファンによる冷却効果の低下は最低限にとどまる。
【００１９】
また工作機械には、工具交換の際に工具の折損検出を行う機能を有するものがある。工具の折損検出は、線状又は棒状の接触部材をモータの回転軸に交差して設け、この接触部材を工具へ向けて回転させた場合に、接触部材が工具に接触するか否かに応じて行うことができる。工具の折損検出は工具交換の際に行われるが、接触部材を回転させるモータの動作時間は数秒程度である。よって、このモータの動作中に冷却用のファンを停止した場合であっても、ファンによる冷却効果の低下は最低限にとどまる。
【００２０】
また、工作機械が交流電源に接続されるものであり、且つ、ファン及び電気的負荷が直流電力により動作するものである場合、工作機械には交流電力を直流電力に変換する変換器（いわゆるＡＣ／ＤＣ変換器）を搭載する必要がある。上述のようにファンと電気的負荷とを排他的に動作させることによって、変換器の容量（出力可能な電力量）を増大させることなく、ファン及び電気的負荷を共通の変換器に接続することが可能となる。よって、ファン及び電気的負荷を共通の変換器に接続することで、工作機械のコスト増大を抑制できる。
【発明の効果】
【００２１】
本発明による場合は、間欠的に動作する電気的負荷と機内冷却用のファンとを排他的に駆動する構成とすることにより、工作機械としての消費電力量の増大を抑制でき、ヒューズ若しくはブレーカ等、又は、ＡＣ／ＤＣ変換器若しくは変圧器等の大容量化を抑制できるため、工作機械のコスト増大を抑制することができる。
【図面の簡単な説明】
【００２２】
【図１】マシニングセンタの外観を示す斜視図である。
【図２】マシニングセンタの加工に係る主要部分の構成を示す正面図である。
【図３】マシニングセンタの電気的構成を示すブロック図である。
【図４】マシニングセンタによるファンの駆動及び機械機構への給脂に係る処理の手順を示すフローチャートである。
【図５】変形例に係るマシニングセンタの電気的構成を示すブロック図である。
【発明を実施するための形態】
【００２３】
以下、本発明をその実施の形態を示す図面に基づき具体的に説明する。図１は、マシニングセンタ（工作機械）の外観を示す斜視図である。また図２は、マシニングセンタの加工に係る主要部分の構成を示す正面図である。本実施の形態に係るマシニングセンタは、加工対象であるワーク（図示は省略する）と工具とを相対移動させて、ワークに所望の機械加工（例えば、スライス削り、穴あけ又は切削等）を施すことができる工作機械である。マシニングセンタは金属製の基台１を備え、基台１の下部の四隅には脚部がそれぞれ設けられ、これら４つの脚部が床面などに設置されることにより、マシニングセンタが所定場所に設置される。基台１は、マシニングセンタの前後方向に長い直方体状の鋳造品である。
【００２４】
マシニングセンタの基台１の後部上にはコラム座部３が設けられ、コラム座部３には鉛直上方へ延びる柱状のコラム４が立設されている。コラム４には、その前面に沿って上下移動可能に主軸ヘッド５が設けられている。主軸ヘッド５には、加工用の工具６が装着される主軸５Ａと、主軸５Ａに装着された工具６を他の工具６に交換するための工具交換機構７とが設けられている。また図１において、コラム４の上部にはＺ軸モータ（図示は省略する）が設けてあり、Ｚ軸モータの回転によって主軸ヘッド５を上下に移動させることができる。
【００２５】
主軸ヘッド５には、加工軸に相当する主軸５Ａが回転可能に装着され、主軸５Ａを回転駆動するための主軸モータ（図示は省略する）が上部に備えられている。主軸５Ａの下端には工具６が着脱可能に装着され、主軸５Ａが主軸モータにより回転駆動されることによって工具６が回転し、テーブル８に固定したワークの加工が行われる。主軸５Ａは、主軸ヘッド５の上下移動によって上方の交換位置と下方の加工位置との間を移動する。工具交換機構７は、工具６を支持する工具ホルダを複数格納する工具マガジン１４と、主軸５Ａに装着された工具ホルダと工具マガジン１４に格納された他の工具ホルダとを把持して搬送し、工具交換を行う工具交換アーム１５とを備えている。
【００２６】
また基台１上には、主軸ヘッド５の下方に、ワークを着脱可能に固定することができるテーブル８が配置してある。テーブル８は、サーボモータであるＸ軸モータ及びＹ軸モータ（図示は省略する）により、Ｘ軸方向（左右方向）及びＹ軸方向（前後方向）へ移動制御される。詳しくは、テーブル８の下側には直方体状の支持台１０が設けてあり、支持台１０にはＸ軸方向に沿って延びる１対のＸ軸送りガイドを設け、１対のＸ軸送りガイド上にテーブル８を移動可能に支持している。また基台１の上部には、長手方向（Ｙ軸方向）に沿って延びる１対のＹ軸送りガイドを設け、１対のＹ軸送りガイド上に支持台１０を移動可能に支持している。基台１上に設けたＹ軸モータがＹ軸送りガイドに沿ってＹ軸方向に支持台１０を移動駆動すると共に、支持台１０上に設けたＸ軸モータがＸ軸送りガイドに沿ってＸ軸方向にテーブル８を移動駆動する。
【００２７】
Ｘ軸送りガイドには、テレスコピック式に収縮するテレスコピックカバー１１、１２がテーブル８の左右両側に設けてある。Ｙ軸送りガイドには、テレスコピックカバー１３とＹ軸後カバーとが、支持台１０の前後にそれぞれ設けてある。テーブル８及び支持台１０がそれぞれいずれの方向に移動した場合であっても、Ｘ軸送りガイド及びＹ軸送りガイドは常にテレスコピックカバー１１、１２、１３及びＹ軸後カバーによって覆われる。テレスコピックカバー１１、１２、１３及びＹ軸後カバーは、ワークの加工領域から飛散する切粉などがＸ軸送りガイド及びＹ軸送りガイド等へ落下することを防止するためのものである。
【００２８】
コラム４の背面側には、箱状の制御ボックス９が設けられており、制御ボックス９の内部にはマシニングセンタの動作を制御するための制御部２０（図３参照）等が収容されている。また制御ボックス９の両側面及び背面には、制御ボックス９の内外の換気を行うことによって、制御ボックス９内に収容された種々の電気機器を冷却するファン１６がそれぞれ設けられている（ただし図１においては、１つのファン１６のみを図示してある）。
【００２９】
図３は、マシニングセンタの電気的構成を示すブロック図である。なお図３においては、電力供給経路を太実線で示してある。マシニングセンタは、制御ボックス９に収容された制御部２０に、複数のサーボアンプ３０及び切替部４３等が通信線などを介して接続されており、制御部２０はサーボアンプ３０及び切替部４３等との間で種々の情報を入出力（送受信）しながら工作に係る制御処理を行っている。
【００３０】
制御部２０は、ＣＰＵ（Central Processing Unit）２１、ＲＯＭ（Read Only Memory）２２、ＲＡＭ（Random Access Memory）２３及び入出力部２４等を備えて構成されている。ＣＰＵ２１は、ＲＯＭ２２に予め記憶された制御プログラムを読み出して実行することによって、種々の演算処理を行う。ＣＰＵ２１は、サーボアンプ３０及び切替部４３等から入力された情報を基に演算処理を行い、演算結果をサーボアンプ３０及び切替部４３等へ出力することによって、マシニングセンタの各部の動作を制御し、ワークに対する加工などを行う。
【００３１】
ＲＯＭ２２は、ＥＥＰＲＯＭ（Electrically Erasable Programmable ROM）又はフラッシュメモリ等の不揮発性の記憶素子で構成され、ＣＰＵ２１が実行する制御プログラム及び各種の処理に必要な情報等が予め記憶されている。ＲＡＭ２３は、ＳＲＡＭ（Static RAM）又はＤＲＡＭ（Dynamic RAM）等の記憶素子で構成され、ＣＰＵ２１の演算処理の過程で発生した情報、並びに、サーボアンプ３０及び切替部４３等との間で授受した情報等を一時的に記憶する。
【００３２】
入出力部２４は、通信線などを介してサーボアンプ３０及び切替部４３等と接続されており、これらとの間で情報の入出力を行う。入出力部２４は、ＣＰＵ２１から与えられた情報を所定の出力先へ出力すると共に、サーボアンプ３０又は切替部４３等から入力された情報をＣＰＵ２１へ与える。
【００３３】
サーボアンプ３０は、主軸５Ａを回転させる主軸モータ、テーブル８をＸ軸方向及びＹ軸方向へ移動させるＸ軸モータ及びＹ軸モータ、並びに、主軸ヘッド５をＺ軸方向へ移動させるＺ軸モータ等の各種のモータをそれぞれ駆動するものである。サーボアンプ３０は、制御部２０から与えられた指示に応じてモータを駆動し、モータの回転量などの情報を検出して制御部２０へ与える。
【００３４】
マシニングセンタは、外部の交流電源１００から供給される電力によって動作する。交流電源１００は、例えば単相２００Ｖの商用交流電源であり、マシニングセンタのプラグ及び電源ケーブル等が接続されることによって、交流電源１００からマシニングセンタへの電力供給が行われる。マシニングセンタでは、交流電源１００からの電力が、ヒューズ４１、降圧トランス４２及び切替部４３を介してファン１６へ供給されると共に、ヒューズ４１及びリレー４４を介して給脂用ポンプ５０へ供給されている。
【００３５】
ヒューズ４１は、所定の電流（定格電流）が流れた場合に、電力供給経路を遮断することによって、異常時に加熱又は発火等の発生を防止するための回路素子である。降圧トランス４２は、交流電力の電圧値を変換する回路素子であり、例えば２００Ｖの交流電力を１００Ｖの交流電力に変換して出力する。
【００３６】
リレー４４は、ヒューズ４１から給脂用ポンプ５０への電力供給経路の接続／遮断を行う回路素子である。リレー４４は、電力供給経路中に配されるスイッチを備え、内部に備えたコイルに対する通電を制御することによってスイッチを開閉し、電力供給経路の接続／遮断が制御される。リレー４４は、切替部４３により接続／遮断の切り替えを制御されている。給脂用ポンプ５０は、リレー４４の接続により電力が供給された場合に動作し、リレー４４の遮断により電力供給が停止された場合に動作を停止する。
【００３７】
切替部４３は、降圧トランス４２が出力する交流電力のファン１６への供給を制御するものであり、降圧トランス４２から各ファン１６への電力供給経路中に配されるスイッチを有し、このスイッチの開閉を個別に切り替えることによって、各ファン１６への電力の供給／非供給を個別に切り替える。各ファン１６は、切替部４３から電力が供給されることによって動作し、電力の供給が停止された場合に動作を停止する。また切替部４３は、リレー４４の接続／遮断の切り替えを制御している。切替部４３は、制御部２０から与えられる指示に応じて、ファン１６への電力供給の切り替え、及び、リレー４４の切り替えを行い、これによりファン１６及び給脂用ポンプ５０の動作を制御している。
【００３８】
給脂用ポンプ５０は、マシニングセンタの機械機構に対する給脂を行うためのポンプである。例えばマシニングセンタは主軸ヘッド５をＺ軸方向へ移動させる機械機構を備えている。マシニングセンタのコラム４には鉛直方向にガイドレールが固定され、主軸ヘッド５はこれに設けた複数の摺動コマを介してガイドレールに沿ってＺ軸方向へ移動可能に取り付けられている。またガイドレールと平行に配設されたボールネジに、主軸ヘッド５に設けたナット部材が螺合挿通されている。マシニングセンタはＺ軸モータによってボールネジを正逆方向へ回転駆動し、ボールネジ及びナット部材によって主軸ヘッド５はガイドレールに沿ってＺ軸方向へ移動する。マシニングセンタは、給脂用ポンプ５０を動作させることによって、ボールネジなどへの給脂を行う。なお、給脂用ポンプ５０が給脂を行う機械機構は、主軸ヘッド５のＺ軸方向への移動を行う機械機構に限らない。
【００３９】
マシニングセンタの制御部２０は、図示しない電源スイッチなどの操作によって電源が投入されて動作を開始した場合、切替部４３へ指示を与えることによってファン１６の動作を開始する。これにより制御ボックス９内の温度上昇が抑制される。なお、このとき制御部２０は、給脂用ポンプ５０は動作させない（即ち、リレー４４を遮断状態とする）。その後、制御部２０は、図示しない操作パネルなどの操作に応じて、サーボアンプ３０などへの動作指示を与えることにより、ワークに対する加工を開始する。
【００４０】
制御部２０は、ワークの加工を行った時間を計時するタイマを備えており、このタイマが計時した時間の情報は不揮発性の記憶領域（例えばＲＯＭ２２）に記憶される。タイマの計時が所定時間（例えば５時間）に達した場合、制御部２０は、サーボアンプ３０などへ指示を与えることによって加工を一時的に停止し、機械機構に対する給脂を行う。このときに制御部２０は、切替部４３へ指示を与えることにより、ファン１６の動作を停止し（ファン１６への電力供給を遮断し）、リレー４４を接続することによって給脂用ポンプ５０を動作させる。
【００４１】
制御部２０は、給脂用ポンプ５０を所定時間（例えば１０秒）動作させた後、切替部４３へ指示を与えることにより、リレー４４を遮断して給脂用ポンプ５０の動作を停止し、ファン１６の動作を開始する。その後、制御部２０は、サーボアンプ３０などへ指示を与えることによって加工を再開する。
【００４２】
図４は、マシニングセンタによるファン１６の駆動及び機械機構への給脂に係る処理の手順を示すフローチャートである。マシニングセンタの電源投入により、まず制御部２０は、切替部４３へ指示を与えることによって、ファン１６の動作を開始する（ステップＳ１）。次いで制御部２０は、自らが備えるタイマが計時する時間を調べることにより、機械機構への給脂を行うタイミングであるか否かを判定する（ステップＳ２）。
【００４３】
給脂を行うタイミングであると判定した場合（Ｓ２：ＹＥＳ）、制御部２０は、切替部４３へ指示を与えることによって、ファン１６への電力供給を停止し、ファン１６の動作を停止する（ステップＳ３）。次いで制御部２０は、切替部４３へ指示を与えることによってリレー４４を接続し、給脂用ポンプ５０の動作を開始する（ステップＳ４）。
【００４４】
その後、制御部２０は、給脂を行う所定時間が経過したか否かに応じて、給脂を終了するか否かを判定し（ステップＳ５）、給脂を終了しないと判定した場合には（Ｓ５：ＮＯ）、給脂の所定時間が経過するまで待機する。所定時間が経過して給脂を終了すると判定した場合（Ｓ５：ＹＥＳ）、制御部２０は、切替部４３へ指示を与えることによってリレー４４を遮断し、給脂用ポンプ５０の動作を停止する（ステップＳ６）。次いで制御部２０は、切替部４３へ指示を与えることによって、ファン１６への電力供給を開始し、ファン１６の動作を開始して（ステップＳ７）、ステップＳ２へ処理を戻す。
【００４５】
また制御部２０は、ステップＳ２において、給脂を行うタイミングでないと判定した場合（Ｓ２：ＮＯ）、電源スイッチに対する操作の有無などに基づいて、処理を終了するか否かを判定する（ステップＳ８）。処理を終了しないと判定した場合（Ｓ８：ＮＯ）、制御部２０は、ステップＳ２へ処理を戻し、給脂を行うタイミング又は処理を終了するタイミングに至るまで待機する。処理を終了すると判定した場合（Ｓ８：ＹＥＳ）、制御部２０は、切替部４３へ指示を与えることによってファン１６の動作を停止し（ステップＳ９）、処理を終了する。
【００４６】
以上の構成のマシニングセンタは、数時間に１回程度の頻度で間欠的に動作する給脂用ポンプ５０を動作させる場合に、制御ボックス９内を冷却するためのファン１６の動作を停止する。このようにファン１６と給脂用ポンプ５０とを排他的に動作させることによって、ヒューズ４１を流れる最大の電流量は、ファン１６の動作電流量と給脂用ポンプ５０の動作電流量の合計量ではなく、３つのファン１６の動作電流量又は給脂用ポンプ５０の動作電流量のいずれか多い方とすることができるため、ヒューズ４１の大容量化を抑制することができ、高コスト化を抑制することができる。給脂用ポンプ５０の動作時間は１０秒程度の短期間であるため、この間にファン１６の動作を停止させた場合であっても、制御ボックス９内の冷却効果の低下は最低限にとどめることができる。
【００４７】
なお、本実施の形態においては、間欠的に動作する電気的負荷として給脂用ポンプ５０を例に説明を行ったが、電気的負荷はこれ以外のものであってよい。またマシニングセンタが３つのファンを備える構成としたが、これに限るものではなく、ファンの数は２つ以下又は４つ以上であってよい。また、給脂用ポンプ５０を動作させる際に、３つのファン１６の全てを停止するのではなく、１つ又は２つのファン１６を停止する構成としてもよく、いくつのファン１６を停止するかは、間欠的に動作する電気的負荷による消費電力量又は動作電流量等に基づいて設計者などが予め判断すればよい。
【００４８】
（変形例）
図５は、変形例に係るマシニングセンタの電気的構成を示すブロック図である。上述の実施の形態において、図３に示したファン１６及び給脂用ポンプ５０は交流の電力の供給により動作するものである。これに対して、図５に示すファン１１６及び給脂用ポンプ１５０は、直流の電力の供給により動作するものである。このため、変形例に係るマシニングセンタは、ヒューズ４１から切替部１４３までの電力供給経路中にＡＣ／ＤＣ変換器１４５が配されている。ＡＣ／ＤＣ変換器１４５は、交流電源１００から供給される交流電力（例えば単相２００Ｖ）を直流電力（例えば２４Ｖ）に変換して切替部１４３へ出力する。
【００４９】
切替部１４３は、３つのファン１１６、給脂用ポンプ１５０、扉開閉モータ１５１及び折損検出用モータ１５２等の電気的負荷が接続されており、これらに対する直流電力の供給／非供給を個別に切り替える制御を行っている。切替部１４３は、ＡＣ／ＤＣ変換器１４５から各電気的負荷への電力供給経路中にそれぞれ配されるスイッチを有し、これらスイッチの開閉を個別に切り替えることによって、各電気的負荷への電力の供給／非供給を個別に切り替える。各電気的負荷は、切替部１４３から直流の電力が供給されることによって動作する。
【００５０】
マシニングセンタは、基台１の上部（即ち、工具によってワークに対する加工が行われる空間）を覆う箱状のスプラッシュカバー（図示は省略する）を備えている。スプラッシュカバーの正面には、スライド式の扉が設けられており、変形例に係るマシニングセンタは、扉開閉スイッチなどに対する操作に応じて扉開閉モータ１５１を回転駆動し、扉を自動的に開閉することができる。１回の扉の開又は閉に伴う扉開閉モータ１５１の動作時間は数秒程度である。扉開閉モータ１５１は、切替部１４３からの直流電力の供給により動作する。
【００５１】
またマシニングセンタは、工具マガジン１４に多数の工具が収容されており、一の工具によるワークの加工が終了した場合、工具交換機構７によって主軸５Ａに装着された一の工具と工具マガジン１４に収容された他の工具とを交換し、交換した工具によるワークの加工を行う。工具交換の際に、マシニングセンタは使用済みの工具の折損検出を行う。折損検出用モータ１５２の回転軸には、回転軸の軸方向に略直交する方向に細い棒状の接触部材が設けられており、マシニングセンタは、使用済みの工具の近傍にて折損検出用モータ１５２を１回転して接触部材を工具へ向けて旋回させる。このときに、接触部材が工具に接触すれば工具の折損は生じておらず、接触部材が工具に接触しなければ工具の折損が生じていると判断することができ、マシニングセンタはこれにより工具の折損検出を行っている。工具の折損検出を行う際の折損検出用モータ１５２の動作時間は数秒程度である。
【００５２】
マシニングセンタの制御部２０は、電源スイッチなどの操作によって電源が投入されて動作を開始した場合、切替部１４３へ指示を与えることによってファン１１６の動作を開始する。これにより制御ボックス９内の温度上昇が抑制される。なお、このとき制御部２０は、給脂用ポンプ１５０、扉開閉モータ１５１及び折損検出用モータ１５２は動作させない。
【００５３】
その後、制御部２０は、図示しない扉開閉スイッチなどの操作がなされた場合に、切替部１４３へ指示を与えることにより、ファン１１６の動作を停止し、扉開閉モータ１５１を駆動して扉の開閉動作を行う。扉の開動作又は閉動作の完了後、制御部２０は、切替部１４３へ指示を与えることにより、扉開閉モータ１５１の動作を停止し、ファン１１６の動作を再開する。
【００５４】
また、制御部２０は、図示しない操作パネルなどの操作に応じて、サーボアンプ３０などへの動作指示を与えることにより、ワークに対する加工を開始する。制御部２０は、タイマにより加工時間の計時を行い、加工時間が所定時間に達した場合、機械機構に対する給脂を行う。このときに制御部２０は、切替部１４３へ指示を与えることにより、ファン１１６の動作を停止し、給脂用ポンプ１５０を動作させる。給脂用ポンプ１５０を所定時間動作させた後、制御部２０は、切替部１４３へ指示を与えることにより、給脂用ポンプ１５０の動作を停止し、ファン１１６の動作を開始する。
【００５５】
また、制御部２０は、主軸５Ａに装着された工具の交換を行う際に、切替部１４３へ指示を与えることにより、ファン１１６の動作を停止し、折損検出用モータ１５２を回転駆動して折損検出を行い、その後に折損検出用モータ１５２の回転を停止し、ファン１１６の動作を再開する。
【００５６】
即ち制御部２０は、通常はファン１１６を動作させて制御ボックス９内の冷却を行っており、所定の条件が満たされることによって給脂用ポンプ１５０、扉開閉モータ１５１又は折損検出用モータ１５２を動作させる必要が生じた場合、ファン１１６の動作を停止した後でこれらを動作させる。その後、制御部２０は、給脂用ポンプ１５０、扉開閉モータ１５１又は折損検出用モータ１５２の動作を停止し、ファン１１６の動作を再開する。即ち制御部２０は、ファン１１６と、給脂用ポンプ１５０と、扉開閉モータ１５１と、折損検出用モータ１５２とを排他的に動作させる（ただし３つのファン１１５は同時的に動作させる）。
【００５７】
以上の構成の変形例に係るマシニングセンタは、給脂用ポンプ１５０、扉開閉モータ１５１又は折損検出用モータ１５２を動作させる場合にはファン１１６の動作を停止する。このためＡＣ／ＤＣ変換器１４５に要求される最大の出力電力量は、３つのファン１１６の消費電力量、給脂用ポンプ１５０の消費電力量、扉開閉モータ１５１の消費電力量及び折損検出用モータ１５２の消費電力量の合計量ではなく、これらのうちの最大のものとすることができ、ＡＣ／ＤＣ変換器１４５の大容量化を抑制することができ、高コスト化を抑制することができる。扉開閉モータ１５１及び折損検出用モータ１５２の動作時間は数秒程度の短期間であるため、この間にファン１１６の動作を停止させた場合であっても、制御ボックス９内の冷却効果の低下は最低限にとどめることができる。
【符号の説明】
【００５８】
５  主軸ヘッド
５Ａ  主軸
７  工具交換機構
８  テーブル
９  制御ボックス
１５  工具交換アーム
１６  ファン
２０  制御部（制御手段）
２１  ＣＰＵ
２４  入出力部
３０  サーボアンプ
４１  ヒューズ
４２  降圧トランス
４３  切替部
４４  リレー
５０  給脂用ポンプ（電気的負荷、ポンプ）
１００  交流電源
１１６  ファン
１４３  切替部
１４５  ＡＣ／ＤＣ変換器（変換器）
１５０  給脂用ポンプ（電気的負荷、ポンプ）
１５１  扉開閉モータ（電気的負荷、モータ）
１５２  折損検出用モータ（電気的負荷、モータ）
【図１】
0005879750.tif 000002
【図２】
0005879750.tif 000003
【図３】
0005879750.tif 000004
【図４】
0005879750.tif 000005
【図５】
0005879750.tif 000006